Podtech/llm-jp-corpus-v4-ja_patent huggingface dataset:
(57)【要約】      （修正有）【課題】確実に起床することのできる目覚まし機能付きベッド装置を提供する。【解決手段】時計機構が組み込まれたベッド部と、下部方向に左右に分かれて９０度づつ可動することが可能な可動ベッドマット部１と、可動ベッドマット部１の可動の際、利用者を受け止めるベッドマット部２とを有し、可動ベッドマット部１は、時計機構により設定された時刻になると初期位置から下部方向に左右に分かれて９０度づつ可動する。【選択図】図１
0003162888.tif 000002
【実用新案登録請求の範囲】
【請求項１】
時計機構３と連動して動作する可動ベッドマット部１を設けたベッド装置。
【考案の詳細な説明】
【技術分野】
【０００１】本考案は、確実に起床するために目覚まし時計の機構を組み込んだベッドに関するものである。
【背景技術】
【０００２】従来は、ベッドの底部が変形することで起床を促すベッドはなかった。
【考案の開示】
【考案が解決しようとする課題】
【０００３】従来の目覚まし時計は、アラーム音で起床を促すものである。しかし、それだけではその音に気がつかないで寝すごしてしまうことがある。また仮に起床できたとしても完全に目覚める前に止めてしまうことがあり、設定時間通りに起床をすることが確実ではないという問題点があった。
【課題を解決するための手段】
【０００４】確実に起床できるよう、設定時間になると可動ベッドマット部１が下部方向に左右に分かれて９０度づつ可動することによって、本考案利用者がベッドマット部２に落下するようにした。
【考案の効果】
【０００５】設定時間に可動ベッドマット部１が変形することによって、本考案利用者は布団から強制的に追い出され確実な覚醒が期待できる。
【図面の簡単な説明】
【０００６】
【図１】本考案可動部動作前の斜視図である。
【図２】動作前の可動ベッドマット部１、ベッドマット部２の概略図である。
【図３】動作後の可動ベッドマット部１、ベッドマット部２の概略図である。
【符号の説明】
【０００７】１  可動ベッドマット部
２  ベッドマット部
３  時計機構
【図１】
0003162888.tif 000003
【図２】
0003162888.tif 000004
【図３】
0003162888.tif 000005
【手続補正書】
【提出日】平成22年6月28日(2010.6.28)
【手続補正１】
【補正対象書類名】実用新案登録請求の範囲
【補正対象項目名】全文
【補正方法】変更
【補正の内容】
【実用新案登録請求の範囲】
【請求項１】
時計機構が組み込まれたベッド部と、下部方向に左右に分かれて９０度づつ可動することが可能な可動ベッドマット部１と、前記可動ベッドマット部１の可動の際、本件考案利用者を受け止めるベッドマット部２とを有し、前記可動ベッドマット部１は、時計機構により設定された時刻になると初期位置から下部方向に左右に分かれて９０度づつ可動することを特徴とするベッド装置。
(57)【要約】      （修正有）【課題】原油蒸留塔１基で、分解及び生産調整までやってしまう安全で安価な触媒無し分解原油蒸留塔を提供する。【解決手段】原油蒸留塔の抜き出しのライトナフサポンプ、ミディアムナフサポンプ、ヘビーナフサポンプ各出口ラインに原油蒸留塔ボトムへのリターンラインを設置した事を特徴として触媒無しの分解原油蒸留塔を構成する。【選択図】図−１
0003162889.tif 000002
【実用新案登録請求の範囲】
【請求項１】
塔のライト、ミディアム、ヘビー各ナフサの抜き出しラインから塔のボトムへリターンラインを設置したことを特徴とする触媒無し分解原油蒸留塔。
【請求項２】
塔のライト、ミディアム、ヘビー各ナフサの抜き出しラインから塔のサクションフィードラインにリターンラインを設置したことを特徴とする請求項１記載の触媒無し分解原油蒸留塔。
【考案の詳細な説明】
【技術分野】
【０００１】本発明は、原油蒸留塔１基で、分解及び生産調整までやってしまうものである。
【背景技術】
【０００２】蒸留塔内に於いてのオイルは、沸点というレベルで分留されるが、特性とも言える熱分解という部分に着目点をおいて考えたものであるが、先ず問題となるタワー内の圧力をガス吸収ミストシャワー（蒸留塔ガス吸収装置）からクーリングしたライトナフサを一面に降らす、この向流接触作用によりライトナフサのトレイより上昇してくるガスを一気に吸収する事が出来るこれでガスの濃度を１／１００以下まで下げられる
これによりタワーの圧力という点では、問題は無くなった
しかもミストという点では、ライトナフサのトレイ温度に変動をきたす事も考えられない圧力という部分を無視した運転が出来る。
それだけでも、低圧という部分で安全性は向上するしかも全体的にオイルが、軽質化する方向に動くのは間違いない。
次に熱分解というオイルの特性を利用する為に、ライトミディアム、ヘビーのナフサラインよりボトムとサクションフィードラインにリターンラインを設置しているが、ナフサを再蒸留にかけるという事は、ボトムに軽質留分が多く含まれる事になるボトムよりベーパーライズしてくる
ナフサの量が多い程ベーパーライズする力というものは大きくなり重質油を低い沸点で、ベーパーライズさせる事が、出来るナフサも重質油も同じ温度でベーパーライズするという蒸留塔内に於いて軽質留分が多くタワー内圧力が小さいとくれば、熱分解が、非常に大きく進むという事であるナフサのガスと重質油のガスは共に同じ温度でベーパーライズ（ナフサの量が多いと重質油のガスに熱を多く与えるという事になる重質油のガスはこれにより吸熱、熱分解作用を起こして軽質化するという作用が大きくなるこの熱分解を利用したものである。
単純に混合物採取というものだけではない。
温度調整だけでありとあらゆる生産調整も可能である。
【考案の概要】
【考案が解決しようとする課題】［装置の簡素化、安全性の向上、コストの低減］
【課題を解決するための手段】［そこで本考案は、蒸留塔抜き出しラインライト、ミディアム、ヘビーナフサラインにリターンラインを設けたボトム及びサクションリターンラインへ］  図−１参照
【考案の効果】［熱分解作用を最大限に引き出す事が出来る又安全で運転調整も出来る。］
【図面の簡単な説明】
【図−１】触媒無し分解原油蒸留塔を示した図と廻りの簡単な配管と付帯機器を示した平面図である。
【産業上の利用可能性】［石油業界に於いて装置の簡素化、安全性、低コストが見込まれる技術革新である。］
【図−１】
0003162889.tif 000003
【手続補正書】
【提出日】平成22年7月1日(2010.7.1)
【手続補正１】
【補正対象書類名】実用新案登録請求の範囲
【補正対象項目名】全文
【補正方法】変更
【補正の内容】
【実用新案登録請求の範囲】
【請求項１】
原油蒸留塔の抜き出しのライトナフサポンプ、ミディアムナフサポンプ、ヘビーナフサポンプ各出口ラインに原油蒸留塔ボトムへのリターンラインを設置した事を特徴とする触媒無しの分解原油蒸留塔。
【請求項２】
原油蒸留塔の抜き出しのライトナフサポンプ、ミディアムナフサポンプ、ヘビーナフサポンプ各出口ラインに原油蒸留塔フィードラインへのリターンを設置したことを特徴とする請求項１記載の触媒無し分解原油蒸留塔。
(57)【要約】      （修正有）【課題】レールの継ぎ目で音と振動が出ないレールを提供する。【解決方法】レール１、１の端部先端部を約４０〜５０度位に斜めに角度を設けて切断し、これらを互いに重ね合わせ、継ぎ板３で挟みこんで複数の締付けボルト４で締付けて組み立てることを特徴とする。レールを製作するとき、レールの両端に同方向に斜めに切断して組み立ててあるので、レールの継ぎ目での車輪とレールの接線が一致しない。その結果、レールの継ぎ目特有のコトンという音と振動が発生しない。【選択図】図２
0003162857.tif 000002
【実用新案登録請求の範囲】
【請求項１】
レールの両端に４０〜５０度位（レールの形により多少変わる）の斜めに角度を設けて、切断したレールと継ぎ目板を６ｍｍ位の調整間隔を複数の締め付けボルト等で組み立てたレールの継ぎ目で音と振動が出ないレール。
【考案の詳細な説明】
【技術分野】
【０００１】  本考案は、レールの長さの両端先端部を４０〜５０度位に斜めに角度を設けて、切断したレールと継ぎ板を複数の締付けボルトで組み立てたレールの継ぎ目で音と振動が出ないように工夫したレールに関するものである。
【背景技術】
【０００２】    従来は、振動が出ないように工夫したロングレールが普及して直線部では問題ないが、カーブ、駅周辺、ポイント、鉄橋等は在来のままであり、騒音、振動が激しく従来とかわりなく、又、直線部は継ぎ目の溶接などの欠点がある。
例えば、特許文献１  特開２００２−０９７６０１号公報。
【考案の開示】
【考案が解決しようとする課題】
【０００３】  それには次のような問題点があった。
（１）ロングレールはレールとレールを溶接し、継ぐのが面倒であった。
（２）ロングレールとロングレールを継ぐには、長いジョイントが必要であった。
（３）ロングレール解体には溶断する面倒があった。
（４）ロングレールのレールが長く補修等に問題があった。
（５）従来のレールは継ぎ目でのコトン・コトンと音が大きかった。
（６）従来のレールは振動も激しかった。
本考案は、以上の問題点を解決するためのものである。
【問題を解決するための手段】
【０００４】  各レールの両端先端部を４０〜５０度位（レールの形により多少変わる）に同方向に斜めに切断して、従来通り調整間隔を約６ｍｍ位あけて、従来通り継目板を複数の締付けボルトで組み立てる。
【考案の効果】
【０００５】  レールを製作するとき、レールの両端に同方向に斜めに約４０〜５０度位（レールの形により多少変わる）で切断して組み立ててある。そのため、レールの継ぎ目が車輪とレールの接線が一致しない。その結果、レールの継ぎ目特有のコトンという音と振動が発生しない効果が期待できる。
【考案を実施するための最良の形態】
【０００６】  以下、本考案の実施の形態を説明する。
（１）斜めに約４０〜５０度位（レール形態により角度が変わる）に両端先端部に同方        向に切断したレール１を設ける。
（２）調整隙間２に約６ｍｍ位に設ける。
（３）継ぎ目板３を２枚と複数の締め付けボルト４、及び複数のナット５、複数のスプ        リングワッシャー６、複数の平ワッシャー７を設けて組み立てる。
（４）車輪とレールの接線が一致しないため、従来のレールの様なコトンという音と振        動が発生しない。
本考案を、使うときは、レールの両端先端部を約４０〜５０度位（レールの形により多少かわる）に、同方向に斜めに切断し、レールテールを従来通り調整間隔を約６ｍｍ位あけて、従来通り継目板を複数の締め付けボルトで組み立てる。
本考案は、以上のような構成よりなっている。
【図面の簡単な説明】
【０００７】
【図１】本考案の約４０〜５０度位に切断した平面図である。
【図２】本考案の標準の継ぎ目と締め付けボルトで組み立てた状態の説明図である。
【符号の説明】
【０００８】１  ４０〜５０度位に切断したレール。
２  調整隙間
３  継ぎ目板
４  締め付けボルト
５  ナット
６  スプリングワッシャー
７  平ワッシャー
【図１】
0003162857.tif 000003
【図２】
0003162857.tif 000004
【手続補正書】
【提出日】平成21年2月9日(2009.2.9)
【手続補正１】
【補正対象書類名】実用新案登録請求の範囲
【補正対象項目名】全文
【補正方法】変更
【補正の内容】
【実用新案登録請求の範囲】
【請求項１】
レールの両端に４０〜５０度位の斜めに角度を設けて切断し、この切断したレールと継ぎ目板を、６ｍｍ位の調整間隔をあけて複数の閉め付けボルト等で組み立てて、レールの継ぎ目で音と振動が出ないようにしたレール。
(57)【要約】      （修正有）【課題】皿に食べ物をのせる場所を斜めにして余分な醤油に含まれる塩分や脂肪を低い所に流し、高血圧、高コレステロールを防止する健康管理に役立つ斜皿を提供する。【解決手段】皿に食べ物をのせるところを斜めにする。【選択図】図１
0003162865.tif 000002
【実用新案登録請求の範囲】
【請求項１】
塩分を多く体内に摂取すると高血圧の原因になり又，脂肪を多く摂取するとコレステロ−ル値が高くなり生活習慣病の元となるので，皿の形を斜めにして余分な塩分や脂肪を摂取し辛い構造とした斜皿を提供する。
【請求項２】
請求項１に基づき皿の形は，長方形の他に四角・楕円形・丸型その他の形の斜皿とする。
【考案の詳細な説明】
【技術分野】
【０００１】この考案は，脂肪や塩分の取りすぎによって健康を害しない様に皿の構造を，斜めにして余分な塩分や脂肪は摂取しない様にした斜皿に関するものである。
【背景技術】
【０００２】塩分，脂肪の取り過ぎは高血圧や高コレステロ−ルの原因になるため，塩分や脂肪の取り過ぎないように，食べ物を入れる皿を工夫して斜皿にしたが，現在ここまで健康に気遣いをした斜皿は他に見当たらない。
【考案の開示】
【本考案が解決しようとする課題】
【０００３】従来より，食事の時に使う皿は，沢山存在するが食べ物を盛り付けるために形が美しく，使いやすい物を探して使用しています。
しかし，塩分の取り過ぎは高血圧，又脂肪分の取り過ぎは，高コレステロ−ルの原因になります。
それを予防する為にも肉，魚等を皿に入れる時に，皿を斜めの構造にして，かけた醤油や脂肪が低い方に流れ，沢山摂取し辛くした健康の為に良い構造の斜皿を開発した。
【課題を解決する手段】
【０００４】課題を解決するために本考案は，以下の構成とした。
すなわち，高血圧，高コレステロ−ルの原因である塩分・脂肪を必要以上に摂取しない様に皿を斜めにした。
これにより塩分脂肪は低い所に流れるため，健康の為に良い。本案は以上の構造によりなる斜皿である。
【本考案の効果】
【０００５】本考案によれば，脂肪の多い魚・肉の他に野菜にも醤油をかけるため，脂肪を多く含む食品や醤油をかける食品全般に利用できる。
高血圧や高コレステロ−ルは，人間が生きるために危険な病状になるために余分な脂肪や塩分を摂取しない様に心がけて，斜皿を使用すると健康管理が楽であり，健康を維持するために欠かせない容器を得る事が出来る。
【考案を実施するための最良の形態】
【０００６】本考案の実施形態について説明する。
現在の料理に使用している皿は，豊富に存在するが容器の美しさや，便利さを考えたものであるが，本考案の斜皿は人間の健康を考えた皿である。
現代の食生活において，美味しい食べ物，栄養のあるもの，好きな食べものは豊富であり，量的にも又豊富である。
しかし，好き好みだけの食生活は健康上大変危険である。
特に塩分の取り過ぎ，脂肪の取り過ぎは高血圧やコレステロ−ル値上昇の原因であり，余分な塩分や脂肪を避けた食生活にしたいものです。
自己管理で摂取量を考えて行かなければならないものであるが，食べ物を入れる皿の構造を斜めにして，盛り付けた魚や肉や，その他の食品に醤油をかける時，余分に摂取しない様に脂肪，醤油は低い所に流れる様にした。
図１の様に低い所に流れて集まった醤油，油は溝の中にためられる。
これにより，危険な成人病にならない様に，そして既に高血圧の人やコレステロ−ルが値が高い人には特に健康管理に役立つ容器である。【０００７】斜皿の形や材質は以下の通りである。
図７，８，９の様に，長方形の他に，四角，丸型，楕円形その他様々な形にも出来ることと，材質的に，セト物，ガラス，ステンレス類，スチ−ル類，合成樹脂類，その他の材質で様々に作ることが出来る。
【図面の簡単な説明】
【図１】本考案の説明の斜視図
【図２】本考案の平面図
【図３】本考案の正面図
【図４】本考案の正面断面図
【図５】本考案の側面図
【図６】本考案の底面図
【図７】本考案の丸型斜皿平面図
【図８】本考案の角型斜皿平面図
【図９】本考案の楕円形斜皿平面図
【符号の説明】１    斜皿本体
２    傾斜部分
３    塩分・脂肪ため溝
４
【図１】
0003162865.tif 000003
【図２】
0003162865.tif 000004
【図３】
0003162865.tif 000005
【図４】
0003162865.tif 000006
【図５】
0003162865.tif 000007
【図６】
0003162865.tif 000008
【図７】
0003162865.tif 000009
【図８】
0003162865.tif 000010
【図９】
0003162865.tif 000011
【手続補正書】
【提出日】平成22年3月26日(2010.3.26)
【手続補正１】
【補正対象書類名】実用新案登録請求の範囲
【補正対象項目名】全文
【補正方法】変更
【補正の内容】
【実用新案登録請求の範囲】
【請求項１】
皿の物をのせる面を斜めの形状を有する斜皿。
【請求項２】
請求項  １に基づき皿全体形状は長方形の他に四角・楕円形・丸型の形状を有する斜皿。
【手続補正書】
【提出日】平成22年6月22日(2010.6.22)
【手続補正１】
【補正対象書類名】実用新案登録請求の範囲
【補正対象項目名】全文
【補正方法】変更
【補正の内容】
【実用新案登録請求の範囲】
【請求項１】
皿の物をのせる面を斜めの形状を有する斜皿。
【請求項２】
皿全体形状は長方形，四角，楕円形，丸型のいずれかである請求項１に記載された斜皿。
(57)【要約】      （修正有）【課題】椅子に座ったり立ったりする際、膝に掛けたり外したりする手間がかからない膝掛けを提供することを目的とした、膝掛けを掛けておくためのロープを提供する。【解決手段】膝掛けを掛けておくためのロープは、ロープを机に固定するための磁石、フック等を具備していることで、容易に机の足を入れる部分の上部に固定することができる。このロープに従来の膝掛けを掛けておくことで膝掛けを膝に掛けたり外したりする手間を省くことを可能とする。【選択図】図３
0003162866.tif 000002
【実用新案登録請求の範囲】
【請求項１】
机の足を入れる部分の上部にロープを固定し、そのロープに膝掛けを掛けておくことにより、椅子に座って机に向かう際や席を立つ際、膝掛けを膝に掛けたり外したりする手間を省くためのロープ。
【考案の詳細な説明】
【技術分野】
【０００１】  本考案は、膝掛けを掛けておくロープに関する。
【背景技術】
【０００２】  従来の膝掛けは、膝に掛けることで、足を暖める機能がある。
【考案の開示】
【考案が解決しようとする課題】
【０００３】  しかしながら、従来の膝掛けは、椅子に座ったり立ったりする際、膝に掛けたり外したりする手間がかかる。
【課題を解決するための手段】
【０００４】  本考案のロープは、両端に磁石、フック等を具備していることで、容易に机の足を入れる部分の上部に固定することができる。このロープに膝掛けを掛けておくことにより、椅子に座って机に向かう際や席を立つ際、膝掛けを膝に掛けたり外したりする手間を省くことを可能とし、上記課題を解決する。
【考案の効果】
【０００５】  本考案によるロープに膝掛けを掛けておくことにより、膝掛けを膝に掛けたり外したりする手間が省けることから、席に着いたり立ったりする動作をよりスピーディーにすることを可能とする。
【考案を実施するための最良の形態】
【０００６】  本考案のロープは、図３に示されるように、磁石を具備したロープを事務デスクに固定し、このロープに膝掛けを掛けておくことで、膝掛けを膝に掛けたり外したりする手間を省く。
【実施例】
【０００７】  つぎに、本考案にかかる実施例について図１から図５を参照しながら具体的に説明する。ただし、本考案はこの実施例に限定されるものではないことはもちろんである。
図１に示したロープを図３のようにスチールデスクに固定し、ロープに膝掛けを掛けておく。この状態のまま、椅子に座って机に足を入れれば手を使うことなく膝に膝掛けがかかり、席を立つ際にも手を使うことなく膝から膝掛けが外れ、図３の状態に戻る。
また、図２に示したロープを図５のようにスクールデスクに固定し、ロープに図４で示した膝掛けを掛けておく。この状態のまま、椅子に座って机に足を入れれば手を使うことなく膝に膝掛けがかかり、席を立つ際にも手を使うことなく膝から膝掛けが外れ、図５の状態に戻る。
【図面の簡単な説明】
【０００８】
【図１】本考案によるロープの一実施例を図に示したものであり、スチールデスクにロープを固定するための磁石と、ロープの長さを調節するための器具を具備したものの側面図である。
【図２】本考案によるロープの一実施例を図に示したものであり、ゴムロープの両端にフックを備え、スクールデスクの脚に固定できるようにしたものの側面図である。
【図３】本考案によるロープ使用の一実施例を図に示したものであり、磁石を具備したロープを事務デスクに固定し、ロープに膝掛けを掛けた状態の斜視図である。
【図４】本考案によるロープに膝掛けを掛けたとき、膝掛けがロープから滑り落ちにくくするため、左右に切り込みを入れた膝掛けの正面図である。
【図５】本考案によるロープ使用の一実施例を図に示したものであり、フックを具備したロープをスクールデスクに固定し、ロープに図４で示した左右に切り込みを入れた膝掛けを掛けた状態の斜視図である。
【符号の説明】
【０００９】１  ロープ
２  磁石
３  ロープの長さを調節する器具
４  ゴムロープ
５  フック
６  膝掛け
７  左右に切り込みを入れた膝掛け
【図１】
0003162866.tif 000003
【図２】
0003162866.tif 000004
【図３】
0003162866.tif 000005
【図４】
0003162866.tif 000006
【図５】
0003162866.tif 000007
【手続補正書】
【提出日】平成22年4月27日(2010.4.27)
【手続補正１】
【補正対象書類名】実用新案登録請求の範囲
【補正対象項目名】全文
【補正方法】変更
【補正の内容】
【実用新案登録請求の範囲】
【請求項１】
両端に磁石、フック等を具備していることで、容易に机の足を入れる部分の上部に固定したり取り外したりすることができる膝掛けを掛けておくことを目的としたロープ。
【手続補正書】
【提出日】平成22年6月30日(2010.6.30)
【手続補正１】
【補正対象書類名】実用新案登録請求の範囲
【補正対象項目名】全文
【補正方法】変更
【補正の内容】
【実用新案登録請求の範囲】
【請求項１】
両端に磁石、フックを具備していることで、容易に机の足を入れる部分の上部に固定したり取り外したりすることができる膝掛けを掛けておくことを目的としたロープ。
(57)【要約】      （修正有）【課題】タオル等を活用して、幼児や介護老人用のよだれかけ等が簡単にできる、着脱可能な布ひも（ゴムつき）を提供する。【解決手段】ゴム入り布ひもの両端にクリップ１を取りつけ、タオルなどをよだれかけの本体として使える様に、該タオルの両端を該クリップではさみ込み、上記のゴム入り布ひもの長さ調節やよだれかけ本体の着脱を容易にできるように構成する。【選択図】図１
0003162863.tif 000002
【実用新案登録請求の範囲】
【請求項１】
タオル等を活用して、幼児や介護老人のよだれかけが簡単にできるように、布ひも（ゴムつき）の両端にフィッシュクリップを通した、ひもの長さの調節が簡単にできる着脱可能なひも。
【考案の詳細な説明】
【技術分野】
【０００１】  この考案は、タオル等を活用して、簡単に幼児や介護老人用よだれかけ等ができるよう、布ひも（ゴムつき）の両端にクリップをつけた、着脱可能なひもに関するものである。
【背景技術】
【０００２】  従来のよだれかけ用に考案されたひもは、長さを調節する部品が使用されるなど、構造が複雑で、見た目もファッション性に乏しかった。
【先行技術文献】
【特許文献】
【特許文献】  なし
【非特許文献】
【非特許文献】  なし
【考案の概要】
【考案が解決しようとする課題】  従来のひもは、長さ調節のためにひもを二重にしたり、部品を使用しているため、首の後ろがゴワゴワして違和感がある。
【課題を解決するための手段】  本考案は、ゴムの伸縮と布の縮具合で、クリップを固定したり移動させることが、簡単にできるようにした。
【考案の効果】  従来のものより、構造がシンプルで、柔らかく優しい付け心地であり、さらに、好みの柄が楽しめ、ファッション性が高まる。
【図面の簡単な説明】
【図１】考案のひもの形状を示した図面である。
【図２】考案のひもの使用状況を示したた図面である。
【考案を実施するための形態】
幼児・介護老人等のよだれかけ用ひも、エプロン用ひもとして使用
【実施例】
【産業上の利用可能性】
【符号の説明】１  フィッシュクリップ
２  布ひも（ゴムつき）
【図１】
0003162863.tif 000003
【図２】
0003162863.tif 000004
【手続補正書】
【提出日】平成22年3月8日(2010.3.8)
【手続補正１】
【補正対象書類名】実用新案登録請求の範囲
【補正対象項目名】全文
【補正方法】変更
【補正の内容】
【実用新案登録請求の範囲】
【請求項１】
袋状の布ひもを長辺方向に二分割するように縫い、その中に平ゴムをそれぞれ通し、フィッシュクリップを両端に付けた、よだれかけ用ゴム入り布ヒモである。
【手続補正３】
【補正対象書類名】明細書
【補正対象項目名】全文
【補正方法】変更
【補正の内容】
【考案の詳細な説明】
【技術分野】
【０００１】この考案は、タオルを活用して、簡単に幼児や介護老人用よだれかけができるよう、ゴム入り布ヒモに２個のフィッシュクリップをつけた、よだれかけ用ゴム入り布ヒモに関するものである。
【背景技術】
【０００２】  従来のよだれかけ用に考案されたひもは、長さを調節する部品が使用されるなど、構造がやや複雑で、見た目にもファッション性に乏しかった。
【先行技術文献】
【特許文献】
【特許文献】なし
【非特許文献】
【非特許文献】なし
【考案の概要】
【考案が解決しようとする課題】従来は、長さ調節のためにひもを二重にしたり、部品を使用しているため、首の後ろが違和感がある。
【課題を解決するための手段】  本考案は、ゴムの伸縮と布の縮具合で、フィッシュクリップを固定したり移動させることが、簡単にできるようにした。
【考案の効果】  従来のものより、構造がシンプルで、柔らかく優しい付け心地であり、さらに、好みの柄が楽しめ、ファッション性が高まる。
【図面の簡単な説明】
【図１】考案のひもの形状を示した図面である。
【図２】考案のひもの使用状況を示した図面である。
【考案を実施するための形態】
幼児・介護老人のよだれかけ用ひもとして使用。
【実施例】
【産業上の利用可能性】
【符号の説明】  １  フィッシュクリップ
２  ゴム入り布ヒモ
【手続補正４】
【補正対象書類名】図面
【補正対象項目名】全図
【補正方法】変更
【補正の内容】
【図１】
0003162863.tif 000005
【図２】
0003162863.tif 000006
【手続補正書】
【提出日】平成22年6月15日(2010.6.15)
【手続補正１】
【補正対象書類名】実用新案登録請求の範囲
【補正対象項目名】全文
【補正方法】変更
【補正の内容】
【実用新案登録請求の範囲】
【請求項１】
袋状の布ひもを長辺方向に二分割するように縫い、その中に平ゴムをそれぞれ通し、フィッシュクリップを両端に付けた、よだれかけ用ゴム入り布ヒモ。
(57)【要約】      （修正有）【課題】配線基板に固定され、摺動部および当接部が無く、長期の使用でも磨耗しない小型挿抜治具を提供する。【解決手段】電子機器に装着される配線基板を該電子機器に挿入するまたは抜く挿抜治具１は、取扱者が指で摘むためのローレット加工された取手部１０と、取手部１０の挿抜方向に伸びる第１の狭持部１１と、取手部１０の挿抜方向に伸びる第２の狭持部１２、１３と、を有し、第２の狭持部１２、１３の所定の部位に、配線基板を狭持して挿抜するための環状突起１４、１５を設けた。【選択図】図１
0003162842.tif 000002
【実用新案登録請求の範囲】
【請求項１】
電子機器に装着される配線基板を該電子機器に挿入するまたは抜く挿抜治具であって、
取扱者が指で摘むためのローレット加工された取手部と、前記取手部の挿抜方向に伸びる第１の狭持部と、
前記取手部の挿抜方向に伸びる第２の狭持部と、を有し、
前記第２の狭持部の所定の部位に、前記配線基板を狭持して挿抜するための環状突起を設けたことを特徴とする配線基板を挿抜するための小型挿抜治具。
【考案の詳細な説明】
【技術分野】
【０００１】
本考案は、電子機器に装着された配線基板を、電子機器側のコネクタから手で挿抜するための小型な挿抜治具に関するものである。
【背景技術】
【０００２】
電子部品を実装した配線基板は、通常、コネクタを介して電子機器の筐体内に装着される。特に大型な配線基板が高密度に装着される場合、配線基板をスムースに挿抜するために挿抜治具を設けるのが一般的であった（例えば、特許文献１）。
しかしながら、特許文献１に記載されている挿抜治具は、配線基板の中心側に向って延びるテコ部と該テコ部に対して交差し配線基板の側縁に沿って延びる動作腕とでＬ字状に形成され、該動作腕が配線基板に配線基板の引抜方向に移動自在に係着され、前記テコ部の引起し状態でＬ字形状の角部が基板レールに当接し、更にテコ部を回転させると、角部を支点とするテコ作用で配線基板が引抜かれるので、挿抜治具と配線基板の摺動部および挿抜治具と基板レールの当接部は、長期の使用により磨耗するという欠点があった。
【先行技術文献】
【特許文献】
【０００３】
【特許文献１】実公平０７−０２９６７４号公報
【考案の概要】
【考案が解決しようとする課題】
【０００４】
そこで、本考案は、配線基板に固定され、摺動部および当接部が無く、長期の使用でも磨耗しない小型挿抜治具を実現することにある。
【課題を解決するための手段】
【０００５】
上述した目的を達成するために、本考案は、電子機器に装着される配線基板を該電子機器に挿入するまたは抜く挿抜治具であって、取扱者が指で摘むためのローレット加工された取手部と、前記取手部の挿抜方向に伸びる第１の狭持部と、前記取手部の挿抜方向に伸びる第２の狭持部と、を有し、前記第２の狭持部の所定の部位に、前記配線基板を狭持して挿抜するための環状突起を設けたことを特徴とする。
【考案の効果】
【０００６】
本考案によれば、配線基板へ固定され、摺動部および当接部が無くなり、長期の使用でも磨耗しない小型挿抜治具を実現できる。
【図面の簡単な説明】
【０００７】
【図１】小型挿抜治具の斜視図
【図２】本考案の実施形態における斜視図
【考案を実施するための形態】
【０００８】
以下、本考案の実施形態について図面を用いて説明する。
【０００９】
図１は、小型挿抜治具の斜視図である。電子機器に装着される後述する配線基板２を該電子機器に挿入するまたは抜く挿抜治具１であって、取扱者が指で摘むためのローレット加工された取手部１０を有している。前記取手部１０の挿抜方向に伸びる第１の狭持部１１を有している。前記取手部１０の挿抜方向に伸びる第２の狭持部１２、１３を有している。前記第２の狭持部１２、１３の所定の部位に、前記配線基板２を狭持して挿抜するための環状突起１４、１５を設けている。
【００１０】
図２は、前記挿抜治具１を前記配線基板２に挿嵌した状態を示しており、本考案の実施形態における斜視図である。前記配線基板２には、前記環状突起１４、１５が挿嵌する位置に円形の嵌合孔２０、２１を設けている。
以上説明した通り、本考案によれば、配線基板へ固定され、摺動部および当接部が無くなり、長期の使用でも磨耗しない小型挿抜治具を実現できる。
【符号の説明】
【００１１】
１…挿抜治具、１０…取手部、１１…第１の狭持部、１２…第２の狭持部、１３…第２の狭持部、１４…環状突起、１５…環状突起、２…配線基板、２０…嵌合孔、２１…嵌合孔
【図１】
0003162842.tif 000003
【図２】
0003162842.tif 000004
(57)【要約】      （修正有）【課題】少量の油で唐揚げや、天ぷらが出来、料理器具を用いて、かき混ぜても丸い底型なので、フライパンの中心に寄っていくようになるために楽に料理出来る器具を提供する。【解決手段】球形を半分にしたような、底が丸型のフライパン４に安定板５を溶接で取り付け、さらに、細目の多数の穴のあいた取り外しの出来る金網の蓋２を装着することを特徴とする。【選択図】図１
0003162524.tif 000002
【実用新案登録請求の範囲】
【請求項１】
底が丸型の不安定な料理のためのフライパン（４）に、安定するための鋼鉄で出来た多数の穴のあいた安定板（５）を溶接して取り付け、さらに、細目の金網の蓋を取り外しが出来るようにした底が丸型の料理用のフライパン。
【考案の詳細な説明】
【考案の詳細な説明】
【産業上の利用分野】
【０００１】この考案は、底が丸型の半円形の不安定なフライパンに安定するための安定板を取り付けた料理に使用するフライパンに関するものである。
【背景技術】
【０００２】従来、置くと不安定な底がゆるやかな丸みをしたフライパンはあった。
【考案が解決しようとする課題】
【０００３】  これは、次のような欠点があった。
（イ）底が丸型の場合、不安定なので、片手で持って、離さないので、料理の時、大変難しかった。
（ロ）油などが入っているために、コンロに置いても、バランスを崩し、油をひっくり返して、自分にかけてしまうことがある。
（ハ）唐揚げをする場合は、底が平らなフライパンは料理の品の姿が隠れるまで油を入れるために、多量の油を使用するために不経済であった。
本考案は、これらの欠点を除くためになされたものである。
【課題を解決するための手段】
【０００４】底が丸型のフライパン（４）の下に、鋼鉄の安定板（５）を溶接で取り付ける。フライパン（４）の上には、油が熱で跳ねないように細目の吸気孔の穴のあいた金網の蓋（２）を取り外し出来るような構成よりなる底が丸型の料理用のフライパンである。
【作用】
【０００５】フライパン（４）を握り、片方の手で野菜などをかき回し、疲れて来た時など、フライパン（４）の取っ手（３）から、手を離しても安定板（５）が平なために、安全に料理などが出来る。また、底が丸型なので、油が底の中心部に溜まるために、唐揚げや、天ぷらを揚げる場合など少量の油で唐揚げや天ぷらが出来る。
【実施例】
【０００６】  以下、本案の実施例について説明する。
（イ）底が丸型の取っ手の付いたフライパン（４）の下に、多数の穴のあいた鋼鉄の安定板（５）を取り付ける。
（ハ）金網蓋（２）は蒸気が外に出やすくするために細かい網にする。
また細かい網なので油が網の外にはじき飛ばされない。
本案は、以上のような構造で、これを使用する時は、片方の手でフライパン（４）を握り、もう片方の手で料理器具を持たなくても、コンロにフライパン（４）を置いたまま、両手で料理器具を持つことが出来る。
【考案の効果】
【０００７】フライパンを、コンロに置いたまま、料理器具を両手で使用出来安全である。
【図面の簡単な説明】
【図１】本考案の斜視図である。
【図２】本考案の分解斜視図である。
【図３】本考案の正面断面図である。
【図４】本考案の分解平面図である。
【符号の説明】１  網蓋の取っ手
２  金網蓋
３  フライパンの取っ手
４  フライパン
５  安定板
【図１】
0003162524.tif 000003
【図２】
0003162524.tif 000004
【図３】
0003162524.tif 000005
【図４】
0003162524.tif 000006
【手続補正書】
【提出日】平成22年4月12日(2010.4.12)
【手続補正１】
【補正対象書類名】実用新案登録請求の範囲
【補正対象項目名】全文
【補正方法】変更
【補正の内容】
【実用新案登録請求の範囲】
【請求項１】
底が丸型の不安定な料理のためのフライパン（４）に、安定するための丸型の安定板（５）の４本の上に出た棒状の４本の腕の部分の先端とフライパンの底部の丸い部分の接触した所を、溶接し、４つに区切りしてある鉄板に直径２ｃｍくらいの小さい穴を多数あけ、さらに細目の金綱の蓋を取り外しが出来るようにした底が丸型の料理用のフライパン。
【手続補正書】
【提出日】平成22年6月14日(2010.6.14)
【手続補正１】
【補正対象書類名】実用新案登録請求の範囲
【補正対象項目名】全文
【補正方法】変更
【補正の内容】
【実用新案登録請求の範囲】
【請求項１】
底が丸型の不安定な料理のためのフライパン（４）に、安定するための丸型の安定板（５）の４本の上に出た棒状の４本の腕（５）の部分の先端とフライパン（４）の底部の丸い部分の接触した所は、特にフライパン（４）の底部の接触の位置について特定はありませんが、接触した所を溶接し、４つに区切りしてある鉄板に、直径２ｃｍくらいの穴を多数あけ、丸い安定板の対向線上の腕（５）の部分に穴をあけると補強が弱くなり、対向線上の補強を強くしないと鉄板が加熱され曲がってしまう場合があるため、また４つに区切りをしないで穴をあけてしまうと、熱を加えたら変形してしまい鉄板をかなり厚くするようになりフライパン（４）が重くなるため、棒状の４本の腕（５）の対向線には穴をあけないで、さらに細目の金網の蓋（２）を取り外しが出来るようにした底が丸型の料理用のフライパン。
(57)【要約】      （修正有）【課題】記憶力を増進して脳の活動をよくする日記帳を提供する。【解決手段】日記帳の記入欄に、記憶日２と記録日１の欄を別にもうける。記憶日とは、日記帳に記録される前日、前々日の思い出し日、記録日とは、思い出した日の出来事を実際日記帳に記入する日である。前日又は前々日の出来事を思い出し日記に記入する。そのことにより、思い出そうとする脳が刺激され、脳全体の活性に連携する。【選択図】図１
0003162527.tif 000002
【実用新案登録請求の範囲】
【請求項１】
前日、又は前々日の出来事を思い出し記録するために、日記帳の欄の中に、記録日のほかに記憶日の欄を設けた日記帳。
【考案の詳細な説明】
【技術分野】
【０００１】本考案は、記憶力を増進して脳の活動をよくする日記帳。
【背景技術】
【０００２】従来の日記帳は、朝から夕まで１日の出来事を忘れないようにする為に、記録するものである。
【考案の開示】
【０００３】しかしながら、従来の日記帳は、今日１日の出来事を記録しておけば忘れても良いということになり、記憶力の低下になる。
【課題を解決するための手段】
【０００４】本考案は、前日又は前々日の出来事を思い出し記録する日記帳。
【考案の効果】
【０００５】本考案により、忘れかけた前日、前々日の記憶を思い出す記憶力への働きかけの訓練である結果、脳の活性化を促す。
【考案を実施するための最良の形態】
【０００６】図１に示すように、記憶日と記憶日の欄を別にもうける。記憶日とは、日記帳に記録される前日、前々日の思い出し日、記録日とは、思い出した日の出来事を実際日記帳に記入する日。
【図面の簡単な説明】
【０００７】
【図１】本考案の実施例を示す図。
【符号の説明】
【０００８】１  記録日    日記を実際に記入する日。２  記憶日    日記帳に記録される前日、前々日の思い出し日。
【図１】
0003162527.tif 000003
【手続補正書】
【提出日】平成22年4月19日(2010.4.19)
【手続補正１】
【補正対象書類名】実用新案登録請求の範囲
【補正対象項目名】全文
【補正方法】変更
【補正の内容】
【実用新案登録請求の範囲】
【請求項１】
記憶日欄、横に月日欄、横に曜日欄、横に天候欄、横に記録日蘭、横に月日欄、一段下に起床時間欄、横に時分欄、横に就寝時間欄、横に時分欄、一段下に朝食欄、横に記入欄、一段下に昼食欄、横に記入欄、一段下に夕食欄、横に記入欄、一段下に出会った人欄、一段下に出来事と記入欄を設ける。記憶日蘭、月日欄、曜日欄、天候欄、起床時間欄、時分欄、就寝時間欄、時分欄、朝食、昼食、夕食欄と記入欄、出会った人と出来事の記入欄のすべてを太線で外枠を囲い込み、記録日、月日を区分した日記帳。記憶日蘭、横に月日欄、横に曜日欄、横に天候欄、横に記録日蘭、横に月日欄、一段下に起床時間欄、横に時分欄、横に就寝時間欄、横に時分欄、一段下に朝食欄、横に記入欄、一段下に昼食欄、横に記入欄、一段下に夕食欄、横に記入欄、一段下に出会った人欄、一段下に出来事と記入欄を設ける。記憶日蘭、月日欄、曜日欄、天候欄、起床時間欄、時分欄、就寝時間欄、時分欄、朝食、昼食、夕食欄と記入欄、出会った人と出来事の記入欄のすべてを太線で外枠を囲い込み、記録日、月日を区分した日記帳。
【手続補正２】
【補正対象書類名】明細書
【補正対象項目名】０００６
【補正方法】変更
【補正の内容】
【０００６】記憶日蘭、横に月日欄、横に曜日欄、横に天候欄、横に記録日蘭、横に月日欄、一段下に起床時間欄、横に時分欄、横に就寝時間欄、横に時分欄、一段下に朝食欄、横に記入欄、一段下に昼食欄、横に記入欄、一段下に夕食欄、横に記入欄、一段下に出会った人欄、一段下に出来事と記入欄を設ける。記憶日蘭、月日欄、曜日欄、天候欄、起床時間欄、時分欄、就寝時間欄、時分欄、朝食、昼食、夕食欄と記入欄、出会った人と出来事の記入欄のすべてを太線で外枠を囲い込み、記録日、月日を区分した日記帳。記憶日蘭、横に月日欄、横に曜日欄、横に天候欄、横に記録日蘭、横に月日欄、一段下に起床時間欄、横に時分欄、横に就寝時間欄、横に時分欄、一段下に朝食欄、横に記入欄、一段下に昼食欄、横に記入欄、一段下に夕食欄、横に記入欄、一段下に出会った人欄、一段下に出来事と記入欄を設ける。記憶日蘭、月日欄、曜日欄、天候欄、起床時間欄、時分欄、就寝時間欄、時分欄、朝食、昼食、夕食欄と記入欄、出会った人と出来事の記入欄のすべてを太線で外枠を囲い込み、記録日、月日を区分した日記帳。
【手続補正３】
【補正対象書類名】明細書
【補正対象項目名】０００８
【補正方法】変更
【補正の内容】
【０００８】３    外枠線            記憶日の事項と記録日を区分する為。
【手続補正４】
【補正対象書類名】図面
【補正対象項目名】全図
【補正方法】変更
【補正の内容】
【図１】
0003162527.tif 000004
【手続補正書】
【提出日】平成22年6月15日(2010.6.15)
【手続補正１】
【補正対象書類名】実用新案登録請求の範囲
【補正対象項目名】全文
【補正方法】変更
【補正の内容】
【実用新案登録請求の範囲】
【請求項１】
「記憶日蘭、横に月日欄、横に曜日欄、横に天候欄、横に記録日蘭、横に月日欄、一段下に起床時間欄、横に時分欄、横に就寝時間欄、横に時分欄、一段下に朝食欄、横に記入欄、一段下に昼食欄、横に記入欄、一段下に夕食欄、横に記入欄、一段下に出会った人欄、横に記入欄、一段下に出来事欄、横に記入欄、下段に記入欄を設け、記憶日欄、月日欄、曜日欄、天候欄、起床時間欄、時分欄、就寝時間欄、時分欄、朝食欄、記入欄、昼食欄、記入欄、夕食欄、記入欄、出会った人欄、記入欄、出来事欄、記入欄のすべてを太線で外枠を囲い込み、記録日、月日を区分した日記帳。」
(57)【要約】      （修正有）【課題】焼き型の側方への膨らみを容易に防止して、所定の形態の見栄えの良いパウンドケーキ等を作ることができる焼き型の膨らみ防止具を提供する。【解決手段】環状に連続する構成で、菓子を焼く焼き型の周壁の外面に沿って嵌め込み使用される。平面形状が長方形で、その長手方向の２辺の中央部が幅広に形成され、持ち部が外方に突出形成される。【選択図】図３
0003162538.tif 000002
【実用新案登録請求の範囲】
【請求項１】
環状に連続する構成で、菓子等を焼く焼き型の周壁外面に沿って嵌め込み使用され、前記焼き型に菓子材料が充填された際の前記周壁の外方への膨らみを防止する焼き型の膨らみ防止具。
【請求項２】
平面形状が長方形で、その長手方向の２辺の中央部が幅広に形成されてなる請求項１記載の焼き型の膨らみ防止具。
【請求項３】
持ち部が外方に突出形成されてなる請求項１または２記載の焼き型の膨らみ防止具。
【考案の詳細な説明】
【技術分野】
【０００１】  この考案は、ケーキ等の焼き菓子の焼き型の膨らみ防止具に関する。
【背景技術】
【０００２】  最近では、家庭においてオーブンを使用することで各種ケーキ等が作られるようになっている。例えば、パウンドケーキの場合は、平面形状が長方形で上方の開放した厚紙よりなる焼き型内にケーキ材料を流し込み、それをオーブンで焼いている。
【考案の概要】
【考案が解決しようとする課題】
【０００３】  上記のパウンドケーキを作る際には、材料を流し込んだ際にその材料の押圧により焼き型の両側部分が外側に膨らみ、得られるパウンドケーキが高さの低い横に膨らんだ見栄えの悪い形態となる。【０００４】  この考案は、焼き型の側方への膨らみを容易に防止して、所定の形態の見栄えの良いパウンドケーキ等を作ることができるようにする。【０００５】  この考案では、環状に連続する構成で、菓子等を焼く焼き型の周壁外面に沿って嵌め込み使用され、前記焼き型に菓子材料が充填された際の前記周壁の外方への膨らみを防止する焼き型の膨らみ防止具を提供する。【０００６】  上記構成の膨らみ防止具が焼き型の周壁外面に沿って嵌め込み使用されることで、菓子材料が充填された際の焼き型周壁の外方への膨らみが防止される。膨らみ防止具は、熱変形せず、かつ、剛性を持つ厚紙等により形成され、厚紙により形成されたものは使い捨て使用に好適である。【０００７】  また、上記膨らみ防止具が、平面形状が長方形でその長手方向の２辺の中央部が幅広に形成されることで、パウンドケーキ等の平面長方形の焼き型においてその膨らみが顕著となる長手方向の２辺の周壁の膨らみの防止が効果的に行われる。さらに、上記膨らみ防止具において持ち部が外方に突出形成されることで、その持ち部を持つことでオーブンへの焼き型の出し入れが容易になされる。
【考案の効果】
【０００８】  この考案の膨らみ防止具を用いることで、焼き型の外方への膨らみを容易に防止しでき、所定の形態の見栄えの良いパウンドケーキ等を作ることができるようになる。
【図面の簡単な説明】
【０００９】
【図１】  この考案の膨らみ防止具の実施形態の斜視図
【図２】  この考案の膨らみ防止具の実施形態の使用状態図
【図３】  この考案の膨らみ防止具の他の実施形態の斜視図
【考案を実施するための最良の形態】
【００１０】  図１はこの考案の焼き型の膨らみ防止具の斜視図、図２は同使用状態図である。【００１１】  膨らみ防止具１は長方形の嵌め込み開口２を備える長方形の枠構造で、周囲枠部４は１ｃｍ程度の巾を持ち厚紙の３層構造となっている。５は厚紙よりなるパウンドケーキの焼き型であり、膨らみ防止具１は下方からその嵌め込み開口２にパウンドケーキの焼き型５を嵌め込むように装着使用される。膨らみ防止具１はパウンドケーキの焼き型５の大きさに対応する寸法の嵌め込み開口２を備え、焼き型５の周壁７が上部に行くにしたがい若干外方に開くように形成されていることで、膨らみ防止具１は下方から十分に嵌め込み装着された状態において、焼き型５の周壁７外面に密接保持される。【００１２】  上記の膨らみ防止具１の装着保持状態において焼き型５内にケーキ材料が注入充填され、オーブンにより焼かれてパウンドケーキが作られる。そのケーキ材料の注入充填された際、１ｃｍ程度の巾を持つ厚紙の３層構造の周囲枠部４が嵌められて周壁７は固定状態となっているので、外方に開いて膨らむことが阻止される。とくに、パウンドケーキの焼き型５の場合、その長手方向の２辺の周壁７部分中央の膨らみが顕著となるが、その膨らみがほぼ阻止される。【００１３】  図３は膨らみ防止具１の他の実施形態を示し、このものでは周囲枠部４の長手方向の２辺それぞれにおいてその中央部分いくにしたがってその巾が大きくされている。また、４辺それぞれの中央には半円形の持ち部１０のそれぞれが外方に突出するように設けられている。【００１４】  上記の膨らみ防止具１によれば、パウンドケーキの焼き型５の長手方向の２辺の周壁７部分の中央部分に膨らみ防止具１の巾の広い部分が沿うことで、さらに確実に焼き型５の膨らみが阻止される。また、持ち手部１０を持つことで、オーブンへの焼き型５の出し入れが容易になされる。
【符号の説明】
【００１５】１  膨らみ防止具
２  嵌め込み開口
４  周囲枠部
５  焼き型
７  周壁
【図１】
0003162538.tif 000003
【図２】
0003162538.tif 000004
【図３】
0003162538.tif 000005
【手続補正書】
【提出日】平成22年6月11日(2010.6.11)
【手続補正１】
【補正対象書類名】実用新案登録請求の範囲
【補正対象項目名】全文
【補正方法】変更
【補正の内容】
【実用新案登録請求の範囲】
【請求項１】
環状に連続する構成で、菓子を焼く焼き型の周壁外面に沿って嵌め込み使用され、前記焼き型に菓子材料が充填された際の前記周壁の外方への膨らみを防止する焼き型の膨らみ防止具。
【請求項２】
平面形状が長方形で、その長手方向の２辺の中央部が幅広に形成されてなる請求項１記載の焼き型の膨らみ防止具。
【請求項３】
持ち部が外方に突出形成されてなる請求項１または２記載の焼き型の膨らみ防止具。
(57)【要約】      （修正有）【課題】コンプレッサーの負荷軽減を図り冷却能力を向上させた省電力コンプレッサー放熱器を提供する。【解決手段】ルームエアコンの室内機で除湿された不用のドレン水が水平調整金具６により水平に保たれる水溝器５を設け、室外機の熱交換器上部にドレンホース接続口から均一に注がれる。【選択図】図２
0003162533.tif 000002
【実用新案登録請求の範囲】
【請求項１】
ルームエアコンの室内機で除湿された不用の排水を室外機の熱交換器（凝縮器）に散布し、水の蒸発による気化熱の作用で熱交換器（凝縮器）を冷しコンプレッサーの稼働率向上を計るものとする。
【考案の詳細な説明】
【技術分野】
【０００１】  本考案は、従来、不用であった排水を利用するエアコンに関するものである。
【背景技術】
【０００２】  エアコンで除湿された水を、そのまま捨てていた。
【考案の開示】
【考案が解決しようとする課題】
【０００３】  エアコンの冷房運転時において、外気温が高い時や日照時間が長い時は、室外機の冷却が過酷な状況になり、それにともない、消費電力が増大する。
【課題を解決するための手段】
【０００４】  本考案は、エアコンの室内機で除湿されたドレン水を、室外機の熱交換器（凝縮器）上端に装着した水溝器から徐徐に流れ落ちるようにしたものである。
【考案の効果】
【０００５】  従来の空冷式熱交換器（凝縮器）の設置条件に於いて、風の流れが淀んだり、複数台の機器による干渉や、日照時間が長いなどの過酷な状態の時に充分な空冷能力が得られない。そこで、本考案の装置の気化熱による助力でコンプレッサーの負担を軽減出来る。
【考案を実施するための最良の形態】
【０００６】  室外機の熱交換器（凝縮器）の上端に水溝器を取り付け、そこから溢れる水を均一に流れ落ちるようにする。
【実施例】
【０００７】  以下、添付図面に従って一実施例を説明する。
【図面の簡単な説明】
【０００８】  図面は、室外機の本体カバーを取り外した骨格を表わしている。
【図１】  本考案に係る省電力コンプレッサー放熱器を、エアコン室外機に取り付けた状態の上面図である。
【図２】  本考案の省エネエアコンの背面図
【図３】  本考案の省エネエアコンの横面図
【符号の説明】
【０００９】  １    コンプレッサー
２    送風機
３    熱交換器（凝縮器）
４    冷媒パイプ
５    水溝器
６    水平調整金具
【図１】
0003162533.tif 000003
【図２】
0003162533.tif 000004
【図３】
0003162533.tif 000005
【手続補正書】
【提出日】平成22年6月17日(2010.6.17)
【手続補正１】
【補正対象書類名】実用新案登録請求の範囲
【補正対象項目名】全文
【補正方法】変更
【補正の内容】
【実用新案登録請求の範囲】
【請求項１】
ルームエアコンの室内機で除湿された不用のドレン水が水平調整金具６により水平に保たれる水溝器５を設け室外機の熱交換器上部７にドレンホース接続口から均一に注がれる事によって、空冷用ファン２による空気の流れで気化熱が発生し熱交換器の効率が向上する省電力コンプレッサー放熱器。